(57)【要約】【課題】デジタル放送の任意のチャンネルのＴＳに複数の仮想チャンネルが含まれている場合に、簡易な構成で、同時に放映される複数の仮想チャンネルの映像信号をすべて録画することができるデジタル放送録画装置を提供する。【解決手段】デジタル放送を受信してＴＳを出力するチューナ部２と、ＴＳを一旦記録するバッファ２０と、バッファ２０内のＴＳから所定の仮想チャンネルの映像信号、音声信号をデコードするＴＶデコーダ３０と、所定の記録方式にエンコードするエンコーダ３１と、記録部４等を備える。バッファ２０内のＴＳから１チャンネルずつ映像信号、音声信号をデコードし、順次これらをエンコードして記録する。映像信号、音声信号の記録が終了すると、ＴＳを削除する。  【選択図】図１
2008085722.tif 000002
【特許請求の範囲】
【請求項１】
デジタル放送のトランスポートストリームを受信するチューナ部と、
前記トランスポートストリームをデコードして前記デジタル放送に含まれる仮想チャンネルの映像信号を取り出すデコーダと、
前記デコードした映像信号を所定のファイル形式で記録する記録手段と、
これらの動作を制御する制御部と、を備えるデジタル放送録画装置において、
前記受信したトランスポートストリームを記録するバッファ手段を備え、
前記制御部は、
同時に放映される仮想チャンネルの映像信号の記録が指示された場合に、
前記トランスポートストリームを受信してバッファ手段に記録させる第１のステップと、
前記デコーダ、前記エンコーダ、前記記録手段に指示して、前記バッファ手段に記録したトランスポートストリームに含まれる複数の仮想チャンネルの映像信号を順次、前記記録手段に記録させる第２のステップと、を行い、その後、前記トランスポートストリームを前記バッファ手段から削除するデジタル放送録画装置。
【請求項２】
デジタル放送のトランスポートストリームを受信するチューナ部と、
前記トランスポートストリームをデコードして前記デジタル放送に含まれる仮想チャンネルの映像信号を取り出すデコーダと、
前記デコードした映像信号を所定のファイル形式で記録する記録手段と、
これらの動作を制御する制御部と、を備えるデジタル放送録画装置において、
前記受信したトランスポートストリームを記録するバッファ手段を備え、
前記制御部は、
同時に放映される仮想チャンネルの映像信号の記録が指示された場合に、
前記トランスポートストリームを受信してバッファ手段に記録させる第１のステップと、
前記デコーダ、前記エンコーダ、前記記録手段に指示して、前記バッファ手段に記録したトランスポートストリームに含まれる複数の仮想チャンネルの映像信号を順次、前記記録手段に記録させる第２のステップと、を行うデジタル放送録画装置。
【請求項３】
前記チューナ部は複数のトランスポートストリームを同時に受信し、
前記バッファ手段は、同時に複数のトランスポートストリームを記録し、
前記制御部は、前記受信した複数のトランスポートストリームについて、前記第１のステップを同時に行い、前記第２のステップを順次動作させる請求項２に記載のデジタル放送録画装置。
【請求項４】
前記チューナ部は、複数のトランスポートストリームを同時に受信し、
前記バッファ手段は、同時に複数のトランスポートストリームを記録し、
前記デコーダ、エンコーダは、前記チューナ部が同時に受信できるトランスポートストリームの数と同数の映像信号を処理し、
前記制御部は、同時に受信した複数のトランスポートストリームそれぞれについて、前記第１のステップを同時に行い、前記第２のステップを並行して動作させる請求項２に記載のデジタル放送録画装置。
【請求項５】
前記制御部は、前記第２のステップの動作終了後、前記トランスポートストリームを前記バッファ手段から削除する請求項２〜４のいずれかに記載のデジタル放送録画装置。
【発明の詳細な説明】
【技術分野】
【０００１】
本発明は、デジタル放送の任意のチャンネルのＴＳ（トランスポートストリーム）に複数の仮想チャンネルが含まれている場合に、同時に放映される複数の仮想チャンネルの映像信号を録画する装置に関する。
【背景技術】
【０００２】
従来、デジタル放送が実用化され、１つの放送局からＲＦ信号に乗せて、ＴＳ（トランスポートストリーム）の形でデジタル信号が送信されている。このＲＦ信号のチャンネルを物理チャンネルという。そして、このＴＳには、複数の仮想チャンネルの放送番組が多重化して送信される場合があり、従来、これらの仮想チャンネルが同時に放映されている場合、これらの仮想チャンネルの映像信号を録画するためには、複数のチューナ、エンコーダチップを必要としていた。
【０００３】
特許文献１には、放送事業者がデジタル放送の記録解析を容易にするため、断片的なＴＳファイルを大容量記憶手段に転送して、保存用の連続したＴＳファイルを得る構成が開示されており、この構成によれば、ＴＳファイルにファイルヘッダを付加して記録し、細分化したＴＳで記録しているのでアクセスが容易に可能である旨の記載がある。
【特許文献１】特開２００３−０６１０２２公報
【発明の開示】
【発明が解決しようとする課題】
【０００４】
しかしながら、従来は、１つのチューナ、エンコーダのチップを搭載する録画装置では、同時に放映される複数の仮想チャンネルの映像信号を録画できず、また、複数チューナ、エンコーダのチップを搭載する録画装置でも、これらのチップ数以上のチャンネルを録画できない問題があった。
【０００５】
そこで、本発明は、デジタル放送の任意のチャンネルのＴＳに複数の仮想チャンネルが含まれている場合に、簡易な構成で、同時に放映される複数の仮想チャンネルの映像信号をすべて録画することができるデジタル放送録画装置を提供する。
【課題を解決するための手段】
【０００６】
本発明は、以下の構成を備えている。
【０００７】
（１）本発明は、
デジタル放送のトランスポートストリームを受信するチューナ部と、
前記トランスポートストリームをデコードして前記デジタル放送に含まれる仮想チャンネルの映像信号を取り出すデコーダと、
前記デコードした映像信号を所定のファイル形式で記録する記録手段と、
これらの動作を制御する制御部と、を備えるデジタル放送録画装置において、
前記受信したトランスポートストリームを記録するバッファ手段を備え、
前記制御部は、
同時に放映される仮想チャンネルの映像信号の記録が指示された場合に、
前記トランスポートストリームを受信してバッファ手段に記録させる第１のステップと、
前記デコーダ、前記エンコーダ、前記記録手段に指示して、前記バッファ手段に記録したトランスポートストリームに含まれる複数の仮想チャンネルの映像信号を順次、前記記録手段に記録させる第２のステップを行う。
【０００８】
この構成では、第１のステップでこれら仮想チャンネルの情報すべてを含むトランスポートストリームを一旦バッファ手段に記録させており、第２のステップで前記バッファ手段に記録したトランスポートストリームに含まれる複数の仮想チャンネルの映像信号を順次、前記記録手段に記録させる。したがって、デジタル放送の任意の物理チャンネルのＴＳに複数の仮想チャンネルが含まれている場合に、複数のチューナ、デコーダがなくとも、仮想チャンネルを１つずつ処理することができるので、このトランスポートストリームに含まれる仮想チャンネルの番組の映像信号をすべて記録することができる。したがって、簡易な構成で、同時に放映される複数の仮想チャンネルの番組をすべて録画することができる。また、装置に搭載したチューナの数以上の仮想チャンネルの番組を録画することができる。
【０００９】
（２）本発明は、
前記チューナ部は複数のトランスポートストリームを同時に受信し、
前記バッファ手段は、同時に複数のトランスポートストリームを記録し、
前記制御部は、前記受信した複数のトランスポートストリームについて、前記第１のステップを同時に行い、前記第２のステップを順次動作させる。
【００１０】
前記チューナ部は複数のトランスポートストリームを同時に受信し、第１のステップで、前記バッファ手段がこれらを記録する。そして、複数のトランスポートストリームに多重化された仮想チャンネルの映像信号を順次記録するから、これら仮想チャンネルの映像信号をすべて記録することができる。この構成によれば、デジタル放送録画装置が有するチューナ部の数をＸとすると、Ｘ個の物理チャンネルに多重化された仮想チャンネルの番組をすべて記録することができる。また、装置に搭載したチューナ部の数以上の仮想チャンネルの番組を録画することができる。
【００１１】
（３）本発明は、
前記チューナ部は、複数のトランスポートストリームを同時に受信し、
前記バッファ手段は、同時に複数のトランスポートストリームを記録し、
前記デコーダ、エンコーダは、前記チューナ部が同時に受信できるトランスポートストリームの数と同数の映像信号を処理し、
前記制御部は、同時に受信した複数のトランスポートストリームそれぞれについて、前記第１のステップを同時に行い、前記第２のステップを並行して動作させることを特徴とする。
【００１２】
この構成では、前記第２のステップを並行して動作させるので、（２）の効果に加え、仮想チャンネルの番組を録画する時間を短縮できる。
【００１３】
（４）本発明は、
前記制御部は、前記第２のステップの動作終了後、前記トランスポートストリームを前記バッファ手段から削除する。
【００１４】
この構成では、前記トランスポートストリームを前記バッファ手段から削除するので、映像信号を記録した後に不要となるトランスポートストリームが溜まったり、バッファの容量が足りなくなるという問題を解消できる。
【発明の効果】
【００１５】
本発明によれば、デジタル放送の任意のチャンネルのＴＳに複数の仮想チャンネルが含まれている場合に、簡易な構成で、同時に放映される複数の仮想チャンネルの映像信号をすべて録画することができる。
【発明を実施するための最良の形態】
【００１６】
図１を用いて、本実施形態のデジタル放送録画装置（図中１で図示）の構成について説明する。デジタル放送録画装置１は、デジタル放送を受信して、受信した番組を録画する録画装置である。
まず、デジタル放送録画装置１の構成を説明する前提として、物理チャンネル、仮想チャンネルについて説明する。チャンネル各放送局からはそれぞれ１つの所定周波数のＲＦ信号に乗せて１つのＴＳ（トランスポートストリーム）が送信されている。このＲＦ信号のチャンネルを物理チャンネルという。また、このＴＳから複数の放送番組（以下単に番組という。）が多重化されて送信されることが多く、それぞれの番組に対応するチャンネルを仮想チャンネルといい、ユーザがリモコン等で番組を選択するためのチャンネルである。
【００１７】
次に、デジタル放送録画装置１の構成について説明する。アンテナ１０１から電波を受信して、ＴＳ（トランスポートストリーム）を得るチューナ部２と、チューナ部２で得たＴＳを一時的に記録するバッファ２０と、バッファ２０から読み出したＴＳから制御部７が指定した所定の仮想チャンネルの映像信号、音声信号を取り出し、所定の信号処理を行って信号出力部５に出力する信号処理部３と、制御部７の制御に応じて映像信号、音声信号を記録する記録部４と、信号出力部５から出力される信号を選択し、映像信号にＯＳＤ（オンスクリーンディスプレイ）を合成し、Ｄ／Ａ変換して映像信号、音声信号を出力する信号出力部５と、これらの各部を制御する制御部７と、制御部７への制御信号を入力する操作部８とを備える。またデジタル放送録画装置１の外部に、Ｄ／Ａ変換器６の映像信号を表示する表示器１０２を備える。
【００１８】
チューナ部２は、チューナ、復調回路、誤り訂正回路、分離回路、デマルチプレクサ、バッファメモリを備えている。チューナは、制御部７により指定されたチャンネルの放送信号を抽出し、復調回路に出力する。復調回路は、入力された放送信号を復調し、誤り訂正回路に出力する。誤り訂正回路は入力されたＴＳ（トランスポートストリーム）の誤り情報を訂正する。分離回路は、誤り訂正回路から出力された信号から、ＭＰＥＧ形式のＴＳを分離して出力する。
【００１９】
なお、以上のようにしてＴＳを抽出することを以下では、単に「チューナ部２がＴＳを受信する」という。また、以上のようにしてＴＳを抽出することは、本発明の「デジタル放送のトランスポートストリームを受信する」ことに相当する。
また、この実施形態でのチューナ部２は、１つのＴＳを受信する。
【００２０】
信号処理部３は、バッファ２０から読み出したＴＳから制御部７が指定した所定の仮想チャンネルの映像信号、音声信号をデコードするＴＶデコーダ３０と、デコードした映像信号、音声信号とを所定の形式にエンコードするエンコーダ３１と、記録部４から読み出した映像信号、音声信号をデコードするデコーダ３３とを備える。
【００２１】
バッファ２０は、制御部７の多チャンネル録画機能７１の動作時に用いる。バッファ２０は、記録媒体と、およびこれらのいずれかを記録／読み出しする記録／読み出し部とで構成する。この記録媒体としては、例えば、ＤＶＤ等の光ディスク、ハードディスク、メモリが使用できる。また、バッファ２０として、ランダムアクセスできるものでなくとも良く、巻戻しができればディジタルテープでも良い。少なくとも指定された放送時間分のＴＳを一時的に格納しておく容量が必要である。
【００２２】
なお、デジタル放送録画装置１は、映像信号を記録した後にこのＴＳを消去するので、バッファ２０としてメモリを用いる場合は、このメモリは必ずしも不揮発性でなくても良い。ただし、動作時の安全を考慮すると不揮発性メモリであることが望ましい。バッファ２０は、指定された時間、１つの物理チャンネルのＴＳを記録する容量が必要である。
【００２３】
ＴＶデコーダ３０は、デマルチプレクサと、ＭＰＥＧ形式に記録されたＴＳを伸張するデコーダとバッファメモリを備えている。ＴＶデコーダ３０は、多チャンネル録画機能７１の動作時には、バッファ２０内の記録媒体からＴＳを読み出す。それ以外の動作時には、チューナ部２から直接ＴＳを入力する。
このＴＳには複数の仮想チャンネルの番組が多重化されて送信されており、デマルチプレクサは、これらの仮想チャンネルのうちの１チャンネルのパケットを抽出して、抽出したパケットに格納されているデータをバッファメモリに記憶させる。このバッファメモリは、一時記憶できれば良く、バッファ２０と共用でも別でも良い。ＴＶデコーダ３０内のデコーダは、このバッファメモリから読み出したデータから映像データと音声データとを分離し、両データを伸長し、これらを出力する。
【００２４】
ＴＶデコーダ３０は、録画時には、映像信号、音声信号をエンコーダ３１、セレクタ５１、５２に出力し、録画時でない場合には映像信号をセレクタ５１に、音声信号をセレクタ５２に出力する。
【００２５】
エンコーダ３１は、例えばＭＰＥＧ形式にエンコードする。デコーダ３３は、記録部４に記録された信号をデコードしてセレクタ５１、セレクタ５２に出力する。
【００２６】
記録部４は、記録媒体（着脱可能なもののみならず添え付けのものを含む）と記録媒体への記録読み出しを行う記録／読み出し部で構成し、エンコードした映像信号を記録する。記録媒体は、ＣＤ、ＤＶＤ、ハードディスク、ビデオテープ等であり、映像信号を記録できるものであれば、何でも良い。記録部４の記録／読み出し部は、例えば、記録媒体がＤＶＤであれば、光学ピックアップである。デコーダ３３は、記録部４で読み出した映像信号をデコードする。
【００２７】
なお、以下では、映像信号、音声信号を記録することを「録画」という。
【００２８】
信号出力部５は、セレクタ５１、５２、ＯＳＤ合成部５５、Ｄ／Ａ変換器５６、５７を備えている。セレクタ５１は、ＴＶデコーダ３０、デコーダ３３の映像信号を選択する。
セレクタ５２は、ＴＶデコーダ３０とデコーダ３３の音声信号を選択する。セレクタ５１、５２は、録画部３が録画している場合、すでに録画したファイルを再生する場合には、デコーダ３３の入力を選択し、そのいずれでもない場合には、ＴＶデコーダ３０の入力が選択する。
【００２９】
信号出力部５は、ＴＶデコーダ３０で生成した映像信号、音声信号の出力、録画部３で記録した映像信号、音声信号の出力を切り換え、選択して出力するセレクタ５１、５２と、装置１本体の各種状態や設定の表示とセレクタ５１で選択した映像信号と合成した映像信号を出力するＯＳＤ（オンスクリーンディスプレイ）合成部５と、ＯＳＤ合成部５５の映像信号の出力をアナログ信号に変換するＤ／Ａ変換器５６と、セレクタ５２で選択した音声信号をＤ／Ａ変換するＤ／Ａ変換器５７とを備える。
【００３０】
ＯＳＤ合成部５５は、デジタル放送録画装置１の各種設定を表示し、ユーザにこれらの設定を選択させるための文字図形の映像信号を出力する。ＯＳＤ合成部５５は、ＯＳＤ画像メモリを備えており、制御部２から与えられる制御信号に基づいて、このＯＳＤ画像メモリが記憶している文字または図形の映像信号を生成し、出力する。セレクタ５１から映像信号が出力されている場合にはこの映像信号を合成する。
【００３１】
Ｄ／Ａ変換器５６は、ＯＳＤ合成部５５から出力した映像信号をアナログの映像信号に変換し、外部の表示器１０２（テレビ受像機等）に出力する。Ｄ／Ａ変換器５７は、セレクタ５２から出力された音声信号をアナログの音声信号に変換し、スピーカ１０３に出力する。
【００３２】
制御部７は、ＣＰＵで構成し、制御部７内のサブプログラムを格納するＲＯＭ（不図示）、制御部７の計算結果を一時的に記憶するＲＡＭ（不図示）を備え、デジタル放送録画装置１内の各部を制御する。例えば、チューナ２１内のバッファＲＡＭへの記録、読み出しタイミングや、セレクタ５１、５２の切替、記録部４への記録タイミングなどを制御する。また、制御部７は、多チャンネル録画機能７１を実行するための各プログラムを上記ＲＯＭ内に格納している。多チャンネル録画機能７１は、１つの物理チャンネルに多重化されて送信される複数の仮想チャンネルを録画する機能である。多チャンネル録画機能７１は、操作部８から直接指示入力を受けるほか、図示しない録画予約機能とタイマにより、指示入力を受けて、所定の時間にこの機能の処理を開始する。
【００３３】
操作部８は、デジタル放送録画装置１に取り付けた操作子や、リモコンおよびリモコンからの赤外信号を受け付けるリモコン受光部で構成する。操作部８は、制御部７を操作するための制御入力を受け付ける。デジタル放送録画装置１またはリモコンの操作子が押下げられると、所定の制御入力が入力される。例えば、リモコンの録画開始ボタン押下げにより録画か開始される。また、録画予約のボタンが押下げられると所定のＯＳＤが表示され、録画チャンネル番号の選択を受け付ける。この選択では、複数チャンネル選択することができ、複数の場合には、所定の時刻に多チャンネル録画機能７１の処理が開始される。
【００３４】
表示器１０２は、デジタル放送録画装置１の外にあり、例えば、液晶パネルで構成する。表示器１０２は、信号出力部５から出力された映像信号、音声信号を変換して、映像を表示すると共に、音声を放音する。なお、音声を放音する装置は、表示器１０２と別に構成しても良い。
【００３５】
次に、図２を用いて、多チャンネル録画機能７１の実行が指示された場合の動作について説明する。図２は、２つのＳＴＥＰ１，２に分けて、この動作を示している。なお、図２で示したブロック図は、図１と同様であるが、図１の信号出力部５の入出力について、図１の構成を簡略化している（図４、図６も同様である）。
【００３６】
（ＳＴＥＰ１）では、信号の流れ９１に示すように、アンテナ１０１からチューナを介して出力されたＴＳは、バッファ２０内の記録媒体に記録される。
【００３７】
（ＳＴＥＰ２）では、信号の流れ９２に示すように、バッファ２０に一旦記録されたＴＳは、ＴＶデコーダ３０に出力される。ＴＶデコーダ３０内のマルチプレクサは、ＴＳから１つの仮想チャンネル分のパケットを分離して、デコードし、映像信号、音声信号を出力する。この映像信号、音声信号の一方は、信号の流れ９３に示すように、信号出力部５を介して、表示器１０２に出力される。この映像信号、音声信号のもう一方は、信号の流れ９４に示すように、エンコーダ３１を介して記録部４に記録される。その後、他のチャンネルについてもこれを繰り返す。
【００３８】
これに対し、通常の１つの仮想チャンネルを録画する場合には、制御部７は、チューナ部２で出力されたＴＳを直接ＴＶデコーダ３０に入力させ、ＴＶデコーダ３０は、１チャンネルの映像信号、音声信号が分離し、デコードする。
【００３９】
次に、図３を用いて、１つの物理チャンネルに多重化された仮想チャンネルのうち、指定されたすべてのチャンネル（ここではＣＨ１〜ＣＨ３とする）の番組を順次録画する録画処理について説明する。この処理は、図２のＳＴＥＰ２の詳細であり、ＳＴＥＰ２Ａ〜Ｃに分かれる。
【００４０】
ＳＴＥＰ２Ａでは、ＴＶデコーダ３０は、バッファ２０に記録されたＴＳからＣＨ１のパケットを分離して映像信号、音声信号を出力する。ＣＨ１の映像信号、音声信号を、エンコーダ３１を介して、記録部４に記録する。
次のＳＴＥＰ２Ｂでは、ＴＶデコーダ３０は、バッファ２０に記録されたＴＳからＣＨ２のパケットを分離して映像信号、音声信号を出力する。ＣＨ２の映像信号、音声信号を、エンコーダ３１を介して、記録部４に記録する。
次のＳＴＥＰ２Ｃでは、ＴＶデコーダ３０は、バッファ２０に記録されたＴＳからＣＨ３のパケットを分離して映像信号、音声信号を出力する。ＣＨ３の映像信号、音声信号を、エンコーダ３１を介して、記録部４に記録する。
その後、ＴＳをバッファ２０から削除する。
【００４１】
このように順次録画することで、デジタル放送録画装置１は、１つのチューナ部２、ＴＶデコーダ３０のみを備えるにもかかわらず、１つの物理チャンネルに多重化された複数の仮想チャンネルの番組をすべて録画することができる。即ち、同時に放映される複数の仮想チャンネルをすべて録画することができる。
【００４２】
なお、図３の説明では、チャンネル番号順に録画しているが、録画の順序をチャンネルの番号順にする必要はなく、指定されたチャンネルをすべて録画できればよい。また、チャンネル数は、３に限らず、２以上であればよい。
【００４３】
次に、図４、図５を用いて、第１の実施形態の応用に係る第２の実施形態の装置について説明する。図４はこの装置の構成図（１Ａで図示）である。図５は、多チャンネル録画機能７１Ａの処理フロー図である。この実施形態では、チューナ部２のみならず、チューナ部２と機能が同等のチューナ部２Ａを備えている。これにより、同時に２つの物理チャンネルのＴＳ（ＴＳ１、ＴＳ２）をバッファ２０に記録できる。その他の構成のうち、多チャンネル録画機能７１Ａ以外は、第１実施形態と同様であり、第１の実施形態のデジタル放送録画装置１の説明を準用する。
【００４４】
図５のフロー図を用いて、多チャンネル録画機能７１Ａの処理について説明する。多チャンネル録画機能７１Ａは、多チャンネル録画機能７１Ａにより、同時に放送された複数の物理チャンネルのＴＳに多重化された仮想チャンネルの番組をすべてを録画する機能である。
【００４５】
ＳＴ２１で、複数放送局のＴＳをそれぞれのチューナ部２、２Ａで同時に受信し、ＴＳ１、ＴＳ２をバッファ２０に記録する。なお、このバッファ２０として、ＴＳ１、ＴＳ２を記録することができる容量が必要である。
ＳＴ２２〜ＳＴ２４で、ＴＳ１について、図３で示した方法と同様にして、仮想チャンネルＣＨ１、ＣＨ２、ＣＨ３の番組を録画する。次に、ＴＳ２についても同様に、仮想チャンネルＣＨ１、ＣＨ２、ＣＨ３の番組を録画する。
ＳＴ２５で、ＴＳｊ（ｊ＝１〜２）を削除する。
【００４６】
なお、図５のＳＴ２２〜ＳＴ２４では、ＣＨ１〜ＣＨ３を記録するとしているが、チャンネルは、これに限らず、操作部８により録画するチャンネルの指定を受け付け、指定されたチャンネルの番組を順次録画すればよい。
また、チューナ部２Ａを増設すれば、より多くの物理チャンネルそれぞれについて多重化された仮想チャンネルの番組をすべて録画することができる。この場合の多チャンネル録画機能７１Ａの処理は、図５で２を整数Ｎに代えて適用する。
【００４７】
次に、図６を用いて、第１、第２の実施形態の応用に係る第３の実施形態の装置について説明する。この実施形態では、第２実施形態の構成に加え、ＴＶデコーダ３０，エンコーダ３１と同様の構成のＴＶデコーダ３０Ａ，エンコーダ３１Ａを更に備えている（これらをまとめて信号処理部３Ａという。）。これにより、複数のＴＳに含まれる映像信号、音声信号をデコード、エンコードすることを並列に行うことができ、録画時間を短縮できる。この実施形態の多チャンネル録画機能７１Ｂの処理は、図５のＳＴ２２〜ＳＴ２４の処理をＴＳｊ（ｊ＝１〜２）について順次繰り返すのではなく、並列して行う点が第２の実施形態の装置と異なる。
【００４８】
なお、信号処理部３Ａをチューナ部２の数に応じて増設すれば、より多くの物理チャンネルを並行して処理することができる。
また、音声信号を信号出力部５内のセレクタ５１、５２は、それぞれ３つの信号を選択できるものとし、多チャンネル録画機能７１Ａにより録画している間は、ＴＶデコーダ３０、３０Ａのいずれかの映像信号、音声信号を信号出力部５内のセレクタに入力する。
【図面の簡単な説明】
【００４９】
【図１】第１実施形態のデジタル放送録画装置の構成図
【図２】第１実施形態のデジタル放送録画装置で多チャンネル録画機能が実行された場合の信号の流れを表す図
【図３】第１実施形態のデジタル放送録画装置における録画処理のフロー図
【図４】第２実施形態のデジタル放送録画装置の構成図
【図５】第２実施形態のデジタル放送録画装置における録画処理のフロー図
【図６】第３実施形態のデジタル放送録画装置の構成図
【符号の説明】
【００５０】
１−デジタル放送録画装置、  １Ａ−デジタル放送録画装置、
１Ａ−デジタル放送録画装置、  ２−チューナ部、  ２Ａ−チューナ部、
２０−バッファ、  ３−信号処理部、
３０−ＴＶデコーダ、  ３０Ａ−ＴＶデコーダ、
３１−エンコーダ、  ３１Ａ−エンコーダ、  ３３−デコーダ、  ３３Ａ−デコーダ、
４−記録部、
５−信号出力部、  ５１−セレクタ、  ５２−セレクタ、  ５５−ＯＳＤ合成部、
５６−Ｄ／Ａ変換器、  ５７−Ｄ／Ａ変換器、
７−制御部、  ７１−多チャンネル録画機能、  ８−操作部、
９１〜９４−信号の流れ、  ＴＳ−トランスポートストリーム、
１０１−アンテナ、  １０２−表示器
【図１】
2008085722.tif 000003
【図２】
2008085722.tif 000004
【図３】
2008085722.tif 000005
【図４】
2008085722.tif 000006
【図５】
2008085722.tif 000007
【図６】
2008085722.tif 000008